(57)【要約】【課題】トレイを回動させる回動力付与機構を省略でき、所定角度傾けてトレイを移動させることができるディスク装置を提供する。【解決手段】長手方向を横向きにした直方体状の筐体４に、矩形台状のトレイ２が縦姿勢で収容されており、ディスクを縦向きに保持するトレイ２を縦姿勢から斜め姿勢にして筐体４に出入りするように移動させるディスク装置であって、トレイ２の上面３に突設された円柱状の案内部３ａと、トレイ２の下面５の縁に沿って設けられており、湾曲面が下向きの円柱状の摺動部１２と、筐体４の天井面４ｃに設けられており、案内部３ａを嵌入させてトレイ２を縦姿勢から斜め姿勢に案内する案内溝の長溝１０ａ、斜溝１０ｂ及び短溝１０ｃと、天井面４ｃに対向する筐体４の底面４ｄに設けられており、摺動部１２に摺接してトレイ２を支持する支持溝１６とを有し、案内溝はトレイ２を所定角度傾ける。【選択図】図６
2009301609.tif 000002
【特許請求の範囲】
【請求項１】
筐体にトレイが縦姿勢で収容されており、該トレイを縦姿勢から斜め姿勢にして該筐体に出入りするように移動させるディスク装置であって、
前記トレイの上面に突設された案内部と、
前記トレイの下面に設けられた摺動部と、
前記筐体の底面に設けられており、前記摺動部が摺接して前記トレイを支持する支持部と、
前記筐体の天井面に設けられており、前記案内部が嵌入して前記トレイを縦姿勢から斜め姿勢に案内する案内溝と
を有することを特徴とするディスク装置。
【請求項２】
前記案内溝は、
前記トレイを移動させる方向に設けられている略平行な第１溝及び第２溝と、
前記移動させる方向に対して斜めに設けられており、前記第１溝及び第２溝に連通した斜溝と
を有することを特徴とする請求項１に記載のディスク装置。
【請求項３】
前記案内部は円柱状又は長軸が上向きの半長楕球状をなしていることを特徴とする請求項１又は２に記載のディスク装置。
【請求項４】
前記摺動部は前記支持部に摺接する曲面を有することを特徴とする請求項１から３までのいずれか一つに記載のディスク装置。
【請求項５】
前記支持部は溝状をなし、
前記摺動部は前記支持部に嵌合していることを特徴とする請求項１から４までのいずれか一つに記載のディスク装置。
【請求項６】
前記案内溝は側断面視逆凹字状又は逆Ｕ字状をなし、
前記摺動部は湾曲面が下向きの円柱状をなしていることを特徴とする請求項１から５までのいずれか一つに記載のディスク装置。
【請求項７】
前記請求項１から６までのいずれか一つに記載のディスク装置を備えることを特徴とする電子機器。
【発明の詳細な説明】
【技術分野】
【０００１】
本発明は、トレイを縦姿勢で収容するディスク装置及び該ディスク装置を備える電子機器に関する。
【背景技術】
【０００２】
近年、占有スペースに合わせて、縦置き又は横置き可能なディスク装置を備えたＤＶＤプレイヤが利用されており、また縦置きのディスク装置を備えた薄型テレビジョンが利用されるようになっている。このような縦置きのディスク装置ではトレイを縦姿勢で収容しており、円盤状の記録媒体であるディスクがトレイに縦向きに保持されている。
【０００３】
この種のディスク装置として、特許文献１の提案がある。特許文献１に示すディスク装置は、直方体状をなし、長手方向を横向きに縦置き姿勢で設置可能であり、トレイにディスクを縦向きに保持できるようになっている。トレイの外周に枠体が周設されており、枠体はトレイを回動可能に縦姿勢で支持している。ディスク装置はトレイを支持した枠体を縦姿勢で移動させている。枠体はトレイを支持する略水平な回動軸を有し、回動軸はモータで駆動される歯車、スクリュウシャフト及びベルトからなる回動力付与機構により回動自在になっている。
略水平にまでトレイを回動させてディスクを載置した場合、ディスクの周縁の複数箇所が、留め具で固定できるようになっている。
【特許文献１】特開平１０−３０２３６３号公報
【発明の開示】
【発明が解決しようとする課題】
【０００４】
しかしながら従来の特許文献１のようなディスク装置では、トレイを支持する枠体をディスク装置本体から縦姿勢で移動させ、略水平にまで回動させたトレイにディスクを載置する場合、トレイの枠体が縦向きのままであるためディスクの載置の妨げとなるときがあり、改善の余地がある。さらにトレイを回動させる回動力付与機構は、複数の部品からなっているためコスト高につながる。
【０００５】
本発明は、このような事情に鑑みてなされたものであって、その目的とするところは、トレイを傾けることが可能な案内溝を備えることにより、トレイを回動させる回動力付与機構を省略でき、所定角度傾けてトレイを移動させることができるディスク装置及び該ディスク装置を備えた電子機器を提供することにある。
【課題を解決するための手段】
【０００６】
本発明のディスク装置は、筐体にトレイが縦姿勢で収容されており、該トレイを縦姿勢から斜め姿勢にして該筐体に出入りするように移動させるディスク装置であって、前記トレイの上面に突設された案内部と、前記トレイの下面に設けられた摺動部と、前記筐体の底面に設けられており、前記摺動部が摺接して前記トレイを支持する支持部と、前記筐体の天井面に設けられており、前記案内部が嵌入して前記トレイを縦姿勢から斜め姿勢に案内する案内溝とを有することを特徴とする。
【０００７】
このような構成の本発明のディスク装置では、筐体からトレイを移動させる場合、例えばモータで駆動されることによりトレイが移動したとき、トレイの上面の案内部が案内溝に沿って摺動し、トレイの下面の摺動部が支持部に沿って摺動する。案内溝はトレイを縦姿勢から斜め姿勢に案内し、支持部はトレイの下面の摺動部が摺接してトレイを縦姿勢から斜め姿勢に支持する。
筐体にトレイを移動させる場合、斜め姿勢になっているトレイにディスクを載置した後、例えばモータで逆駆動されることによりトレイが逆移動したとき、トレイの上面の案内部が案内溝に沿って逆向きに摺動し、トレイの下面の摺動部が支持部に沿って逆向きに摺動する。案内溝はトレイを斜め姿勢から縦姿勢に案内し、支持部はトレイの下面の摺動部が摺接してトレイを斜め姿勢から縦姿勢に支持する。
【０００８】
本発明のディスク装置は、前記案内溝は、前記トレイを移動させる方向に設けられている略平行な第１溝及び第２溝と、前記移動させる方向に対して斜めに設けられており、前記第１溝及び第２溝に連通した斜溝とを有することを特徴とする。
【０００９】
このような構成の本発明のディスク装置では、筐体からトレイを移動させる場合、例えばモータで駆動されることによりトレイが移動したとき、トレイの上面の案内部が第１溝に沿って摺動し、トレイの下面の摺動部が支持部に沿って摺動する。第１溝はトレイを縦姿勢で案内し、支持部はトレイの下面の摺動部が摺接してトレイを縦姿勢で支持する。
トレイの上面の案内部が第１溝から斜溝に移動したとき、案内部が斜溝に沿って摺動し、斜溝はトレイを縦姿勢から斜め姿勢に案内し、支持部はトレイの下面の摺動部が摺接してトレイを縦姿勢から斜め姿勢に支持する。
トレイの上面の案内部が斜溝から第２溝に移動したとき、案内部が第２溝に沿って摺動し、トレイの下面の摺動部が支持部に沿って摺動する。第２溝はトレイを斜め姿勢で案内し、支持部はトレイの下面の摺動部が摺接してトレイを斜め姿勢で支持する。
このようにして本発明のディスク装置はトレイを縦姿勢から斜め姿勢にして筐体から移動させる。
【００１０】
筐体にトレイを移動させる場合、斜め姿勢になっているトレイにディスクを載置した後、例えばモータで逆駆動されることによりトレイが逆移動したとき、トレイの上面の案内部が第２溝に沿って逆向きに摺動し、トレイの下面の摺動部が支持部に沿って逆向きに摺動する。第２溝はトレイを斜め姿勢で案内し、支持部はトレイの下面の摺動部が摺接してトレイを斜め姿勢で支持する。
トレイの上面の案内部が第２溝から斜溝に逆移動したとき、案内部が斜溝に沿って逆向きに摺動し、斜溝はトレイを斜め姿勢から縦姿勢に案内し、支持部はトレイの下面の摺動部が摺接してトレイを斜め姿勢から縦姿勢に支持する。
トレイの上面の案内部が斜溝から第１溝に逆移動したとき、案内部が第１溝に沿って逆向きに摺動し、トレイの下面の摺動部が支持部に沿って逆向きに摺動する。第１溝はトレイを縦姿勢で案内し、支持部はトレイの下面の摺動部が摺接してトレイを縦姿勢で支持する。
このようにして本発明のディスク装置はトレイを斜め姿勢から縦姿勢にして筐体に移動させる。
【００１１】
本発明のディスク装置は、前記案内部は円柱状又は長軸が上向きの半長楕球状をなしていることを特徴とする。
【００１２】
このような構成の本発明のディスク装置では、トレイの上面の案内部が案内溝を滑らかに摺動する。
【００１３】
本発明のディスク装置は、前記摺動部は前記支持部に摺接する曲面を有することを特徴とする。
【００１４】
このような構成の本発明のディスク装置では、トレイの上面の案内部が案内溝を摺動してトレイを傾斜させるとき、トレイの下面の摺動部は支持部に滑らかに摺接して回動する。
【００１５】
本発明のディスク装置は、前記支持部は溝状をなし、前記摺動部は前記支持部に嵌合していることを特徴とする。
【００１６】
このような構成の本発明のディスク装置では、トレイの上面の案内部が案内溝を摺動して、トレイが縦姿勢から斜め姿勢になるとき及び斜め姿勢から縦姿勢になるとき、トレイの下面の摺動部は、支持部に嵌合して支持され、滑らかに回動して外れない。
【００１７】
本発明のディスク装置は、前記案内溝は側断面視逆凹字状又は逆Ｕ字状をなし、前記摺動部は湾曲面が下向きの円柱状をなしていることを特徴とする。
【００１８】
このような構成の本発明のディスク装置では、トレイの上面の案内部が案内溝を滑らかに摺動し、トレイが縦姿勢から斜め姿勢になるとき及び斜め姿勢から縦姿勢になるとき、トレイの下面の摺動部は、支持部で滑らかに回動する。支持部はトレイを支持し、湾曲面が下向きの円柱状の摺動部は支持部を滑らかに摺動する。
【００１９】
本発明の電子機器は、前述のディスク装置を備えることを特徴とする。
【００２０】
このような構成の本発明の電子機器では薄型化が可能になる。
【発明の効果】
【００２１】
本発明のディスク装置は、トレイを傾けることが可能な案内溝を備えているので、縦姿勢から斜め姿勢に所定角度傾けてトレイを移動させることができるという効果を有する。
したがって、本発明のディスク装置はトレイを回動させる回動力付与機構を省略することが可能になる。
本発明の電子機器は、筐体にトレイを縦姿勢で収容するディスク装置を備えているので、薄型化及び省スペース化を図ることができるという効果を有する。
【発明を実施するための最良の形態】
【００２２】
以下、図面に基づき、本発明のディスク装置を備える電子機器として、薄型テレビジョンを例に挙げて好適な実施の形態を説明する。
（実施の形態１）
図１は実施の形態１に係るディスク装置を備える薄型テレビジョンからトレイを移動させた状態を示す正面図、図２はディスク装置における傾斜したトレイを示す斜視図、図３はディスク装置の筐体を示す斜視図、図４はディスク装置からトレイを移動させた状態を示す正面図、図５はディスク装置の平面図、図６は図５のＶＩ−ＶＩ断面図、図７は図６で示すＣ部の拡大図、図８はトレイを裏面方向から視た斜視図である。
本発明に係る薄型テレビジョン１は、矩形状のフレーム１ａに保持された表示パネル１ｂを備え、スタンド１ｃに支持されている。実施の形態１に係るディスク装置は、扁平な直方体状をなし、トレイ２を縦姿勢で収容している。ディスク装置は縦置き姿勢で薄型テレビジョン１のフレーム１ａの一側部に備えられている。
ディスク装置のトレイ２は、矩形台状をしており、長手方向を横向きにした直方体状の筐体４に収容可能になっている。ディスク装置はトレイ２を筐体４の矩形状の挿入口４ｂから出入りするように移動させることが可能になっている。
【００２３】
挿入口４ｂの下縁の奥部側にストッパ４ｅが上向きに突設されている。ストッパ４ｅはトレイ２の下面５の後端側に下向きに突設されている突起２ｈを係止するようになっている。突起２ｈがストッパ４ｅに係合したとき、トレイ２が挿入口４ｂから完全に抜き出ないようになっている。
【００２４】
トレイ２が筐体４内に挿入口４ｂから移動したとき、トレイ２の一側部２ａは挿入口４ｂを遮蔽するようになっており、トレイ２の他側部２ｂは筐体４の挿入口４ｂと反対側に位置する後内壁４ａに当接するようになっている。
トレイ２は長手方向の略中央部に円形状の凹部２ｃを表面側に有し、円盤状の記録媒体であるディスク６が凹部２ｃに縦向きで載置可能になっている。トレイ２が挿入口４ｂから外側に移動する場合、トレイ２の表面側は案内溝１０により上斜め向きに傾斜するようになっている（図２及び図６の白抜き矢印Ａを参照）。
【００２５】
トレイ２の略中央部に、前方後円状の開口部２ｅが形成されている。開口部２ｅは円形孔２ｆ及び方形孔２ｇの連設でなり、方形孔２ｇはトレイ２の他側部２ｂ側寄りに形成されている。円形孔２ｆは凹部２ｃの二分の一程度の直径を有し、凹部２ｃに偏心して形成されている。
トレイ２がディスク装置内に移動した場合、ターンテーブル（図示せず）が円形孔２ｆに出入可能になっており、方形孔２ｇはピックアップ（図示せず）の移動域になっている。
【００２６】
トレイ２の裏面は、筐体４の背面壁４ｆに対向している。トレイ２の裏面側の下縁部２ｄに沿って、トレイ２の一側部２ａ近傍から他側部２ｂ近傍にわたって、棒状のラック８が形成されている。ラック８の歯先８ａは、筐体４の天井面４ｃに向いており、背面壁４ｆに向かって傾斜したテーパ状になっている。
【００２７】
筐体４の挿入口４ｂ近傍の背面壁４ｆに、トレイ２を駆動するためのモータ９が備えられている。モータ９はイジェクトボタン（図示せず）のオン・オフにより起動するようになっている。
モータ９の回転軸は横向きになっており、連結ギア９ｂの回転軸に連結している。連結ギア９ｂはトレイ２を駆動する駆動ギア９ｃに噛合している。駆動ギア９ｃは、連結ギア９ｂの下側でブラケット９ｄに横向きに軸支されており、駆動ギア９ｃと同軸にピニオン９ａが形成されている。ピニオン９ａはラック８に噛合している。
【００２８】
トレイ２の傾斜によりラック８がピニオン９ａ側に傾斜した場合、ラック８の歯先８ａがテーパ状になっているため、ラック８はピニオン９ａとの噛合を確保している。トレイ２が傾斜した場合でもラック８とピニオン９ａとが噛合しているため、モータ９の駆動力はラック８を介して確実にトレイ２に伝達できるようになっている。
【００２９】
トレイ２の上面３の他側部２ｂ側寄りに、円柱状の案内部３ａが上向きに突設されている。トレイ２の下面５には、トレイ２の幅方向、即ちトレイ２の一側部２ａから他側部２ｂにわたって、直方体状の基部１１が下向きに突設されている。基部１１に沿って円柱状の摺動部１２が下向きに湾曲して横設されている。摺動部１２の湾曲面は基部１１の長手方向の側面１１ａ、１１ｂよりも外側に膨出している。基部１１及び摺動部１２は摺動体１３を構成しており、摺動体１３は側断面視略前方後円形状をしている。
【００３０】
トレイ２裏面の下縁部２ｄから基部１１までの距離と、トレイ２裏面の上縁部２ｉから案内部３ａまでの距離とは、略同距離にしている。
上面３の案内部３ａと、下面５の突起２ｈとは、トレイ２に対して略正反対側で少しトレイ２の厚さ方向にずれた位置に突設されている。即ち、案内部３ａはトレイ２の裏面寄りに、突起２ｈは表面寄りに突設されている。突起２ｈは、トレイ２が傾斜しても、筐体４のストッパ４ｅに係合可能になっている。
【００３１】
筐体４の天井面４ｃには、トレイ２の案内部３ａが嵌入して摺動する側断面視逆凹字状の案内溝１０が、後内壁４ａ近傍から挿入口４ｂの上縁部の略中央部までにわたって筐体４の長手方向に形成されている。
即ち、案内溝１０は、筐体４の奥部側からトレイ２を移動させる方向に形成されており、第１溝である長溝１０ａと、斜溝１０ｂと、第２溝である短溝１０ｃとからなっている。
長溝１０ａは天井面４ｃの手前の一方の縁部に形成されている。短溝１０ｃは天井面４ｃの手前と反対側、つまり背面壁４ｆ側の他方の縁部に長溝１０ａと略平行に形成されている。斜溝１０ｂは、略平行な短溝１０ｃ及び長溝１０ａに対して鈍角に交差する方向に形成されており、長溝１０ａ及び短溝１０ｃに連通している。
【００３２】
長溝１０ａは後内壁４ａ近傍からトレイ２の移動方向に長い寸法で形成されており、斜溝１０ｂに接続されている。斜溝１０ｂは、手前側から背面壁４ｆ方向に斜め向きに形成されており、短溝１０ｃに接続されている。短溝１０ｃは斜溝１０ｂから挿入口４ｂの上縁部の略中央部まで長溝１０ａと略平行に形成されている。短溝１０ｃの長さは、トレイ２を傾斜させる位置に対応させて長溝１０ａよりも短くしている。トレイ２の傾斜角度は長溝１０ａと短溝１０ｃとの間隔により設定している。
【００３３】
筐体４の天井面４ｃと対向する筐体４の底面４ｄには、トレイ２を支持する側断面視凹字状の支持溝１６が、挿入口４ｂから後内壁４ａ近傍までにわたって形成されている。支持溝１６に、トレイ２の摺動部１２が摺接かつ嵌入可能になっている。支持溝１６は筐体４の奥部側に位置する天井面４ｃの長溝１０ａに対向している。
【００３４】
トレイ２が傾斜する側の支持溝１６の一方の内側壁１６ａと、摺動体１３の基部１１の背面側の側面１１ａとの間隔は、他方の内側壁１６ｂと、基部１１の正面側の側面１１ｂとの間隔よりも広くしている。即ち、内側壁１６ａと側面１１ａとの間隔は、トレイ２が傾斜した場合、基部１１の側面１１ａが支持溝１６に衝突しないように広く確保されている。内側壁１６ｂと側面１１ｂとの間隔は、トレイ２が正面側に傾斜しないように狭く形成している。内側壁１６ｂと側面１１ｂとは、トレイ２が縦姿勢のとき、当接していても差し支えない。
【００３５】
次に実施の形態１の作用について説明する。
図９は実施の形態１のトレイを縦姿勢で移動させる状態を示す側断面図、図１０はトレイを斜め姿勢で移動させる状態を示す側断面図である。
実施の形態１では、トレイ２を移動させる場合、先ず、イジェクトボタンをオン操作したとき、モータ９が起動して連結ギア９ｂが回転し、連結ギア９ｂに連動して駆動ギア９ｃ及びピニオン９ａが回転し、ピニオン９ａに噛合するラック８が略水平方向に移動する。
ラック８の移動と連動して、トレイ２の下面５の摺動部１２が支持溝１６に沿って摺動するとともに、トレイ２の上面３の案内部３ａが案内溝１０の長溝１０ａに沿って摺動し、支持溝１６は摺動部１２が摺接してトレイ２を縦姿勢で支持し、トレイ２が縦姿勢で移動する（図９を参照）。
【００３６】
次に、上面３の案内部３ａが長溝１０ａから斜溝１０ｂに移動し、案内部３ａが斜溝１０ｂに沿って摺動するとき、下面５の摺動部１２が支持溝１６の内側壁１６ａ、１６ｂに摺接して回転して（図７を参照）、トレイ２が傾斜していき、トレイ２の表面が上斜め向きになっていく（図１０の白抜き矢印Ｄを参照）。
【００３７】
次いで、案内部３ａが斜溝１０ｂから短溝１０ｃに移動し、案内部３ａが短溝１０ｃに沿って摺動するとき、トレイ２の表面が上斜め向きになった傾斜状態で、摺動部１２が支持溝１６に沿って摺動し、支持溝１６は摺動部１２が摺接してトレイ２を斜め姿勢で支持し、トレイ２が斜め姿勢で移動する（図１０を参照）。
トレイ２の突起２ｈが筐体４のストッパ４ｅに衝突したとき、イジェクトボタンがオフ状態になりモータ９が停止し、トレイ２の移動が停止する。
【００３８】
そして、傾斜したトレイ２の凹部２ｃにディスク６を載置する（図２の白抜き矢印Ｂを参照）。
【００３９】
ディスク６を載置したトレイ２をディスク装置に移動させる場合、イジェクトボタンをオン操作したとき、モータ９が起動して連結ギア９ｂが逆回転し、連結ギア９ｂに連動して駆動ギア９ｃ及びピニオン９ａが逆回転し、ピニオン９ａに噛合するラック８が略水平方向に逆移動する。ラック８の逆移動と連動して、トレイ２の摺動部１２が支持溝１６に沿って逆方向へ摺動するとともに、案内部３ａが案内溝１０の短溝１０ｃに沿って逆方向に摺動し、支持溝１６は摺動部１２が摺接してトレイ２を斜め姿勢で支持し、トレイ２が斜め姿勢で移動する（図２及び図１０を参照）。
【００４０】
次に案内部３ａが短溝１０ｃから斜溝１０ｂに移動し、案内部３ａが斜溝１０ｂに沿って逆方向に摺動するとき、摺動部１２が支持溝１６の内側壁１６ａ、１６ｂに摺接して逆回転して、トレイ２が斜め姿勢から縦姿勢になっていく。
【００４１】
次いで、案内部３ａが斜溝１０ｂから長溝１０ａに移動し、案内部３ａが長溝１０ａに沿って逆方向に摺動するとき、摺動部１２が支持溝１６に沿って逆方向に摺動し、支持溝１６は摺動部１２が摺接してトレイ２を縦姿勢で支持し、トレイ２は縦姿勢で移動する（図９を参照）。
そして、トレイ２の他側部２ｂが筐体４の後内壁４ａに当接したとき、モータ９が停止し、トレイ２の移動が停止する。
【００４２】
このように実施の形態１に係るディスク装置は、斜溝１０ｂが形成された案内溝１０でトレイ２を傾斜させているので、トレイ２全体を傾けて移動させることができる。
したがって、実施の形態１に係るディスク装置は、ディスク６をトレイ２に載置し易く、トレイ２を傾ける機構の簡素化ができ、コストダウンを図ることができる。
【００４３】
なお、摺動部１２は突設されており、摺動部１２が支持溝１６に嵌入しているが、凹凸を逆にしてもよく、摺動部１２と支持溝１６とは嵌合するようになっていてもよい。つまり、摺動部１２が内側に湾曲した溝状をなし、支持部である支持溝１６の方が溝状ではなく、上向きに突設されたレール状をなしていてもよい。
【００４４】
（実施の形態２）
次に実施の形態２について説明する。
実施の形態２のディスク装置では、実施の形態１におけるトレイ２の案内部３ａの形状と、筐体４の案内溝１０及び支持溝１６の断面形状が異なっており、その他の構成は実施の形態１と同様であり、適宜詳細な説明を省略する。
【００４５】
図１１は実施の形態２に係るディスク装置の部分側断面図、図１２はトレイ上面の案内部が長溝に嵌入している状態を示す部分側断面図、図１３はトレイ上面の案内部が短溝に嵌入している状態を示す部分側断面図である。
なお、実施の形態１と実質的に同一部材には同一の符号を用いた。
実施の形態２に係るトレイ２の上面３には、トレイ２の他側部２ｂ寄りに円柱状の案内部２２が突設されており、案内部２２の先端部２２ａは半球状になっている。即ち、案内部２２は長軸が上向きの半長楕球状をなしている。
トレイ２の下面５には、トレイ２の幅方向、即ちトレイ２の一側部２ａから他側部２ｂにわたって、直方体状の基部１１及び円柱状の摺動部１２からなる摺動体１３が形成されている。
【００４６】
筐体４の天井面４ｃに、案内部２２を嵌入させてトレイ２を案内する案内溝２４が、側断面視逆Ｕ字状に形成されている。案内溝２４は、トレイ２を移動させる方向に設けられた略平行な第１溝の長溝２４ａ及び第２溝の短溝２４ｃと、トレイ２を移動させる方向に対して斜めに設けられた斜溝２４ｂとからなっている（図５及び図１１を参照）。斜溝２４ｂは長溝２４ａ及び短溝２４ｃに連通している。案内溝２４には、半円筒状の内周面２５が形成されており、案内部２２の側面及び半球状の先端部２２ａが摺接可能になっている。
【００４７】
筐体４の底面４ｄに、摺動部１２が摺接してトレイ２を支持する支持溝２６が形成されている。支持溝２６には、円柱状の側周壁をなす摺動部１２の先端部に摺接可能な半円筒状の内周面２６ａが形成されている。
【００４８】
天井面４ｃの長溝２４ａは底面４ｄの支持溝２６と距離Ｈを隔てて対向している。天井面４ｃの斜溝２４ｂ及び短溝２４ｃは、底面４ｄの支持溝２６と距離Ｈを隔てて形成されている（図１１で示す距離Ｈを参照）。案内溝２４が支持溝２６から一定距離Ｈを隔てて形成されているため、斜溝２４ｂは長溝２４ａから短溝２４ｃにかけて底面４ｄからの高さが徐々に低くなるようになっている。トレイ２の傾斜角度は長溝２４ａと短溝２４ｃとの間隔により設定している。
【００４９】
このような構成の実施の形態２に係るディスク装置では、筐体４からトレイ２を移動させる場合、トレイ２の上面の突部２２の側面及び半球状の先端部２２ａが、順次、長溝２４ａ、斜溝２４ｂ及び短溝２４ｃを摺動し、案内溝２４はトレイ２を縦姿勢から斜め姿勢に案内し、支持部２６はトレイ２の下面の摺動部１２が摺接してトレイ２を縦姿勢から斜め姿勢に支持する。支持部２６がトレイ２を縦姿勢で支持するとき、トレイ２の下面５の摺動部１２は、支持溝２６の内周面２６ａを摺動し、支持部２６がトレイ２を斜め姿勢で支持するとき、摺動部１２は支持溝２６の内周面２６ａに摺接して回動する。
なお、トレイ２の移動の主な動作は、実施の形態１と同様であるので、詳細な説明を省略する。
【００５０】
このように実施の形態２に係るディスク装置は、トレイ２の案内部２２を案内溝２４で滑らかに案内することができ、長溝２４ａ及び短溝２４ｃから傾斜する斜溝２４ｂへの移行に、がたつきが生じない。またトレイ２の摺動部１２は支持溝２６を滑らかに摺動かつ回動することができる。さらに長溝２４ａと短溝２４ｃとの間隔によりトレイ２の傾斜角度が調節できる。
【００５１】
なお、実施の形態１及び２において、それぞれの長溝１０ａ、２４ａ及び短溝１０ｃ、２４ｃにそれぞれの斜溝１０ｂ、２４ｂが連通しているが、短溝１０ｃ、２４ｃを省略し、それぞれの斜溝が、長溝１０ａ、２４ａから挿入口４ｂの上縁部の略中央部まで形成されていてもよい。また長溝１０ａ、２４ａを省略し、それぞれの斜溝を短溝１０ｃ、２４ｃから後内壁４ａ近傍まで形成するようにしても差し支えない。
【００５２】
さらにそれぞれの案内溝１０、２４は筐体４の奥部側から挿入口４ｂの上縁部までにわたる斜溝のみでなっていても差し支えない。つまり、案内部３ａ、２２をそれぞれ嵌入させる案内溝１０、２４に、筐体４の奥部側で支持溝１６、２６に対向する部分があればよい。この奥部側において、それぞれの支持溝１６、２６は摺動部１２を摺接させてトレイ２を縦姿勢で支持するようになっていれば差し支えない。
【００５３】
本発明によるディスク装置を縦置き姿勢で備える電子機器としては、テレビジョン、ＤＶＤ（ＨＤＤ）レコーダ、ＤＶＤ再生プレイヤ、ゲーム機及びＰＣ（パーソナルコンピュータ）等を挙げることができる。
【図面の簡単な説明】
【００５４】
【図１】実施の形態１に係るディスク装置を備える薄型テレビジョンからトレイを移動させた状態を示す正面図である。
【図２】ディスク装置における傾斜したトレイを示す斜視図である。
【図３】ディスク装置の筐体を示す斜視図である。
【図４】ディスク装置からトレイを移動させた状態を示す正面図である。
【図５】ディスク装置の平面図である。
【図６】図５のＶＩ−ＶＩ断面図である。
【図７】図６で示すＣ部の拡大図である。
【図８】トレイを裏面方向から視た斜視図である。
【図９】実施の形態１のトレイを縦姿勢で移動させる状態を示す側断面図である。
【図１０】トレイを斜め姿勢で移動させる状態を示す側断面図である。
【図１１】実施の形態２に係るディスク装置の部分側断面図である。
【図１２】トレイ上面の案内部が長溝に嵌入している状態を示す部分側断面図である。
【図１３】トレイ上面の案内部が短溝に嵌入している状態を示す部分側断面図である。
【符号の説明】
【００５５】
２  トレイ
３  上面
３ａ、２２  案内部
４  筐体
４ｃ  天井面
４ｄ  底面
５  下面
１０、２４  案内溝
１０ａ、２４ａ  長溝（第１溝）
１０ｂ、２４ｂ  斜溝
１０ｃ、２４ｃ  短溝（第２溝）
１２  摺動部
１６、２６  支持溝（支持部）
【図１】
2009301609.tif 000003
【図２】
2009301609.tif 000004
【図３】
2009301609.tif 000005
【図４】
2009301609.tif 000006
【図５】
2009301609.tif 000007
【図６】
2009301609.tif 000008
【図７】
2009301609.tif 000009
【図８】
2009301609.tif 000010
【図９】
2009301609.tif 000011
【図１０】
2009301609.tif 000012
【図１１】
2009301609.tif 000013
【図１２】
2009301609.tif 000014
【図１３】
2009301609.tif 000015